(57)【要約】【課題】  一本のラメ糸と色糸を用いてシャープでくっきり浮き出すようにアルファベット文字や所望の絵柄等を形成できるようにしてこれまで商品化できなかった絵柄模様のラメ入りたわし、及びたわし生地を提供する。【解決手段】  繊維糸（１）の経糸（１ａ）と緯糸（１ｂ）を織成して平織地（１０）を形成し、この平織地（１０）をベースに平織地の面に金属平線（２）と色糸（３）を織り込んで金属平線（２）は表出し、色糸（３）は裏出しして夫々の織目（２ａ）（３ａ）を表側と裏側に形成するとともに、金属平線（２）と色糸（３）を部分的に沈み織りして平織地（１０）の面に金属平線の織目（２ａ）と色糸の織目（３ａ）により絵柄（Ｇ）（Ｇ´）を浮き出すように形成してなるものである。【選択図】  図１
2005097777.tif 000002
【特許請求の範囲】
【請求項１】
繊維糸（１）の経糸（１ａ）と緯糸（１ｂ）を織成して平織地（１０）を形成し、この平織地（１０）をベースに平織地の面に金属平線（２）と色糸（３）を織り込んで金属平線（２）は表出し、色糸（３）は裏出しして夫々の織目（２ａ）（３ａ）を表側と裏側に形成するとともに、金属平線（２）と色糸（３）を部分的に沈み織りして平織地（１０）の面に金属平線の織目（２ａ）と色糸の織目（３ａ）により絵柄（Ｇ）（Ｇ´）を浮き出すように形成してなるラメ入り柄ものたわし生地。
【請求項２】
前記平織地（１０）に織り込まれる金属平線（２）と色糸（３）は、平織地（１０）の経糸（１ａ）と同じ経方向に織り込まれてなる請求項１記載のラメ入り柄ものたわし生地。
【請求項３】
前記金属平線（２）と色糸（３）は、夫々が互いに異なる色の単一色で且つ前記色糸（３）は前記金属平線（２）より細くて強い繊維糸である請求項１又は２記載のラメ入り柄ものたわし生地。
【請求項４】
前記金属平線（２）と色糸（３）は、前記ベースとなる平織地（１０）の経糸（１ａ）及び緯糸（１ｂ）と夫々異なる色の単一色である請求項１乃至３のいづれか１項に記載のラメ入り柄ものたわし生地。
【請求項５】
前記請求項１のたわし生地（２０）を袋（３０）に形成して、その袋の中にスポンジの芯体（５）を封入してなるラメ入り柄ものたわし。
【発明の詳細な説明】
【技術分野】
【０００１】
本発明は、食器や鍋類、その他の物体を洗ったり磨くのに使用されるたわし及びたわし生地に関するものである。
【背景技術】
【０００２】
軟質プラスチックのフイルムテープにアルミ等の金属を蒸着又はコーティングした金属平線（ラメ平線又はラメ糸等とも云う）を、他の繊維糸とともに織成したわし生地となし、このたわし生地を袋状に形成してラメ入りたわしとしたものは金属のもつエッジの硬さとプラスチックの柔らかさを併わせ有するためにたわしとして好適なものとして広く一般に使用されている。
【０００３】
金属平線は薄くて伸び易く、強度も弱いので単独では織物に形成することは困難で、そのため金属平線に細くて強度の高い繊維糸を併用し、又添え糸を用いてたわし生地に織成する方法が知られている。（例えば特許文献１参照）。又平織りされた織物生地に、ラメ糸を織り込んで表面にラメ糸の荒い織目を全面に形成するようにしたラメ入りたわし生地も知られている（特許文献２参照）。
【０００４】
このようなたわし生地は、生地の表と裏面にラメ糸のエッジが立った荒い織目が全面均一に形成され、その色合いは、ラメ糸が一般に金色（黄色）又は銀色（白色）、或いは赤、青といった単一色であることから全体が金又は銀色等一色の無地物であることが一般的である。
【０００５】
本件の発明者は、このような無地物単一色のラメ入りたわし生地をＡ、Ｂ、Ｃのような文字や、パンダのような絵柄を浮き出すようにカラフルでお洒落なラメ入りたわし生地が作れないかと考えた。
【特許文献１】実公昭５７−４４９４２号公報
【特許文献２】実公平６−８８５５号公報
【発明の開示】
【発明が解決しようとする課題】
【０００６】
しかし、単一色のラメ糸を平織生地に織込むには例えば２色又は２色以上のラメ糸を使用すると、これらの色が混合して細部までシャープな絵柄を浮き出しにより形成することが難しく従ってこれまでラメ糸により絵柄が浮き出たような製品は未だ商品化されるに至っていないのが現状である。
【０００７】
本発明は、上記に鑑みてなされたものであり、その目的とするところは、一本のラメ糸と色糸を用いてシャープでくっきり浮き出すようにアルファベット文字や所望の絵柄等を形成できるようにしてこれまで商品化できなかった絵柄模様のラメ入りたわし、及びたわし生地を提供することにある。
【課題を解決するための手段】
【０００８】
本発明に係るラメ入り柄ものたわし生地は、繊維糸（１）の経糸（１ａ）と緯糸（１ｂ）を織成して平織地（１０）を形成し、この平織地（１０）をベースに平織地の面に金属平線（２）と色糸（３）を織り込んで金属平線（２）は表出し、色糸（３）は裏出しして夫々の織目（２ａ）（３ａ）を表側と裏側に形成するとともに、金属平線（２）と色糸（３）を部分的に沈み織りして平織地（１０）の面に金属平線の織目（２ａ）と色糸の織目（３ａ）により絵柄（Ｇ）（Ｇ´）を浮き出すように形成することを特徴とする。
【０００９】
このラメ入り柄ものたわし生地は、前記平織地（１０）に織り込まれる金属平線（２）と色糸（３）は、平織地（１０）の経糸（１ａ）と同じ経方向に織り込まれることを特徴とする。
【００１０】
また、このラメ入り柄ものたわし生地は、前記金属平線（２）と色糸（３）は、夫々が互いに異なる色の単一色で且つ前記色糸（３）は前記金属平線（２）より細くて強い繊維糸であることが好ましい。
【００１１】
さらに、このラメ入り柄ものたわし生地は、前記金属平線（２）と色糸（３）は、前記ベースとなる平織地（１０）の経糸（１ａ）及び緯糸（１ｂ）と夫々異なる色の単一色であることも特徴である。
【００１２】
本発明に係るラメ入り柄ものたわしは、たわし生地（２０）を袋（３０）に形成して、その袋の中にスポンジの芯体（５）を封入してなることを特徴とする。
【発明の効果】
【００１３】
本発明に係るラメ入り柄ものたわしは、ベースとなる平織地の面にラメ糸と色糸を経方向に織り込んで任意の絵柄を浮き出すように形成されるため、従来の無地もののラメ入りたわしに較べお洒落でカラフルなものが安価に提供でき、たわしとしての商品価値が高められる。また、たわし生地の表と裏の両方に陰陽の形で絵柄が形成されるので、シートもので使用する場合両面の使用が可能である。
【発明を実施するための最良の形態】
【００１４】
以下、実施例を用いて本発明に係るラメ入り柄ものたわし及びたわし生地について説明する。
【実施例】
【００１５】
（たわし生地の基礎構造）
図４（ａ）（ｂ）はベースとなる平織地１０を示す。平織地１０は天然又は化学繊維からなる繊維糸１を用い、この繊維糸１を経糸１ａと経糸１ｂにして織成すると図４（ａ）（ｂ）に示すような平織地１０が得られる。経糸１ａと緯糸１ｂは白又は黄色等の着色したものを同色又は異色にして用いることができる。
【００１６】
この平織地１０に織り込まれる金属平線（ラメ糸）２は、厚さが１５〜５０ミクロンのプラスチックフイルムの面にアルミ、銅等の金属を蒸着し又はスパッタリングにより金属の薄い膜を形成したものである。このようなラメ糸は白又は銀色、茶、或いは金、黄色が一般的である。またこの金属平線２とともに織り込まれる色糸３は、繊維糸又はその他の糸を赤、緑色等の着色したものが用いられる。
【００１７】
金属平線２と色糸３は、ベースとなる平織地１０に夫々別々に平織地１０の経糸１ａと平行に同方向に織り込み、金属平線は表出し、色糸は裏出しにして金属平線の織目２ａは平織地１０の表側に、また色糸の織目３ａは裏側に夫々形成される。
【００１８】
絵柄となる部分は、平織地の表側では金属平線の織目２ａが部分的に裏側へ沈ませることにより裏側に沈み部２ａ´を織り出すことにより形成する。同様に平織地の表側では色糸の織目３ａが部分的に表側へ織り出すことにより表側に沈み部３ａ´が形成される。
【００１９】
金属平線と色糸の沈み部２ａ´、３ａ´の部位や長さを加減調整し、これらの組合わせをすることで任意の大きさ、形の絵柄Ｇ、Ｇ´を平織地１０の表と裏面に形成することができる。このような絵柄は、ジャガード機を用いることで規定通りのものが得られる。
【００２０】
金属平線２は、扁平糸ともいわれるように巾１〜２ミリメートル、厚さ０．０１ミリメートルといった薄くて巾のあるもので、引っ張りに対しては弱くて延び易いものであるが、平織地１０の織目より少なくとも３倍以上の長さで荒く織り込まれるようにする。このようにすることで単独でも平織地の面に切れたり延びたりせずに簡単且つ確実に織成可能である。又これに対して色糸３は金属平線２に対して細くて引張り強度も強いので、織込みは簡単確実にできる上に、金属平線と重なり合う部分ができた場合に金属平線の下に隠れて殆んど目立たないようになる。若し仮りに金属平線と色糸が巾、太さ等が同様であれば重なる部分が混合色となってきれいな絵柄が形成でき難いものであるが、本発明では混合色にならず、両者が混り合っても単一色のラメ糸のみ現われるためシャープで色合いもきれいな絵柄が形成できるものである。而もこのような金属平線と色糸は夫々が相互に異なる色で、且つ平織地１０の経糸１ａ、緯１ｂとも異なる色の単一色であるため、下地に対してもくっきり浮き上がり、一層シャープできれいな絵柄が形成できるものである。
【００２１】
上記のようなたわし生地２０は、所望の大きさに形成して２つ折り、又４つ折り、或いは円筒状に丸めるなどして使用する他、広げたままシートものとしても使用することができる。
【００２２】
また、たわし生地２０を図２（ａ）（ｂ）に示すよう袋３０に形成し、袋の中にスポンジの芯体５を封入してスポンジ入りたわしとして使用する。
【００２３】
図１（ａ）は、金属平線２により表出し織目２ａのほぼ中央部分を裏出しにしてその部分に色糸を表出しにより親子像の絵柄を色糸で浮き出しにより形成したものである。図１（ｂ）はその裏側を示している。裏側では金属平線による親子像の絵柄が表側のものと対称に浮き出すように表われている。
【００２４】
図３（ａ）は花柄を裏側の色糸を部分的に表出しにより織り込んで金属平線の織目による無地色の中にくっきり浮き出した図である。
【産業上の利用可能性】
【００２５】
本発明に係るラメ入りたわし及びたわし生地は、金属平線（ラメ糸）による平織目の無地色の中に部分的に沈み部分を形成して、その上に裏出し側の色糸を表出しにより絵柄を形成したものであって、従来の無地色のみによるたわし及びたわし生地に比べシャープで、くっきり浮き出すようにアルファベット文字や花柄、像の親子といった絵柄を生地の表裏に形成できるため、親しみがあって使い易く、而も商品価値を高めることができる。
【図面の簡単な説明】
【００２６】
【図１】本発明に係るラメ入り柄ものたわしの一例を写真で示したもので、（ａ）生地の表面側からみた平面図、（ｂ）はその裏側の平面図である。
【図２】本発明に係るラメ入り柄ものたわしで、（ａ）はスポンジ芯体入りたわしの斜視図、（ｂ）は同図（ａ）におけるＡ−Ａ線の断面図である。
【図３】（ａ）は本発明のラメ入り柄ものたわし生地の一部を示す平面図、（ｂ）は同図（ａ）におけるＢ−Ｂ線の拡大断面図である。
【図４】（ａ）は平織地の平織目を拡大した平面図、（ｂ）はその断面図、（ｃ）は平織地にラメ糸のみを表出しに織り込んだ状態の説明図、（ｄ）は平織地に色糸のみを裏出しに織り込んだ状態の説明図である。
【図５】（ａ）はラメ糸と色糸の一部を拡大して示した斜視図、（ｂ）は平織地の経糸と緯糸の一部を拡大した斜視図である。
【符号の説明】
【００２７】
１    繊維糸
１ａ  経糸
１ｂ  緯糸
２    金属平糸（ラメ糸）
３    色糸
５    スポンジの芯体
１０  平織地
２ａ、３ａ  織目
Ｇ、Ｇ´  絵柄
【図１】
2005097777.tif 000003
【図２】
2005097777.tif 000004
【図３】
2005097777.tif 000005
【図４】
2005097777.tif 000006
【図５】
2005097777.tif 000007